(57)【要約】【課題】階段室を明るくする照明灯が、階段の下り口で下り方向を向いた状態において視界に入る位置に設けられていても、該照明灯による眩しさを感じることなく下り口から安全に下りていくことができ、しかも、上り方向を向いたときの段板と蹴こみの陰影の差をはっきりさせて階段を安全に上っていくことができる階段室照明システムを提供する。【解決手段】下り口６側のスイッチ９でオンにしたときの照明灯２の出力が、上り口５側のスイッチ８でオンにしたときの該照明灯２の出力よりも小さくなるように設定されている。【選択図】      図１
2008186797.tif 000002
【特許請求の範囲】
【請求項１】
階段室を明るくする照明灯が、階段の下り口で下り方向を向いた状態において視界に入る位置に設けられていると共に、上り口側のスイッチ手段と下り口側のスイッチ手段とが設けられた階段室照明システムにおいて、
下り口側のスイッチ手段でオンになったときの前記照明灯の出力が、上り口側のスイッチ手段でオンになったときの該照明灯の出力よりも小さくなるように設定されていることを特徴とする階段室照明システム。
【請求項２】
前記照明灯が、階段の上り下り方向の中間位置において、壁面に設けられている請求項１に記載の階段室照明システム。
【請求項３】
前記階段が、隣り合う上下のフロアーをつなぐ上り下り方向の中間位置で屈曲して向きを変える階段からなり、前記照明灯が、階段の下り口と前記屈曲部とをつなぐ上り下り方向の中間位置において、壁面に設けられている請求項１に記載の階段室照明システム。
【請求項４】
下り口から階段を下りていくヒトが前記照明灯を通過したのを検知するセンサーと、該センサーからの通過信号に基づき、該照明灯の出力を、上り口側のスイッチでオンになったときの該照明灯の出力に復帰させる制御手段とが備えられている請求項１乃至３のいずれか一に記載の階段室照明システム。
【発明の詳細な説明】
【技術分野】
【０００１】
本発明は、階段室照明システムに関する。
【背景技術】
【０００２】
階段室に該階段室を明るくする照明灯が設けられると共に、階段上り口と下り口とに該照明灯をオンオフ操作するスイッチが設けられた階段室照明システムは、従来より提供されている。
【特許文献１】特開２００４−３０３６４７号公報
【発明の開示】
【発明が解決しようとする課題】
【０００３】
ところで、上記のような照明灯が備えられた階段では、上り方向を向いて階段の段板を見たときには、段板と蹴こみの陰影の差によって各段の段板を区別してはっきりと見て取ることができるが、下り方向を向いて階段の段板を見たときには、各段の段板のみが見えて陰影の差がはっきりしにくく、階段を下りていくときには上っていくときよりも足元に注意を払う必要がある。
【０００４】
しかるに、照明灯が、階段の下り口で下り方向を向いた状態において視界に入る位置に設けられているような場合、下り口から下りていく際に、照明灯からの光が目に入り、その眩しさで各段の段板の区別がより一層つきにくくなり、階段を下りていくときの安全面での危険度が大きくなってしまうという問題がある。
【０００５】
特に、照明灯が、階段の上り下り方向の中間位置において、壁面に設けられている場合は、下り口に下り方向を向いて立ったとき、照明灯が視点の中心側に寄って光が目に入りやすくなり、眩しさを感じやすい。
【０００６】
とりわけ、階段が、隣り合う上下のフロアーをつなぐ上り下り方向の中間位置で向きを変える階段からなり、前記照明灯が、階段の下り口と前記屈曲部とをつなぐ上り下り方向の中間位置において、壁面に設けられている設けられている場合は、下り口に下り方向を向いて立ったときの照明灯との距離が短くなり、眩しさを強く感じやすい。
【０００７】
そこで、出力の小さい照明灯を用いることも考えられるが、それでは、階段室を暗くしてしまい、上り方向を向いて階段の段板を見たときの段板と蹴こみの陰影の差がはっきりしなくなり、階段を安全に上っていくのが難しくなってしまう。
【０００８】
本発明は、上記のような問題点に鑑み、階段室を明るくする照明灯が、階段の下り口で下り方向を向いた状態において視界に入る位置に設けられていても、該照明灯による眩しさを感じることなく下り口から安全に下りていくことができ、しかも、上り方向を向いたときの段板と蹴こみの陰影の差をはっきりさせて階段を安全に上っていくことができる階段室照明システムを提供することを課題とする。
【課題を解決するための手段】
【０００９】
上記の課題は、階段室を明るくする照明灯が、階段の下り口で下り方向を向いた状態において視界に入る位置に設けられていると共に、上り口側のスイッチ手段と下り口側のスイッチ手段とが設けられた階段室照明システムにおいて、
下り口側のスイッチ手段でオンになったときの前記照明灯の出力が、上り口側のスイッチ手段でオンになったときの該照明灯の出力よりも小さくなるように設定されていることを特徴とする階段室照明システムによって解決される（第１発明）。
【００１０】
このシステムでは、下り口側のスイッチ手段でオンになったときの照明灯の出力が、上り口側のスイッチ手段でオンになったときの該照明灯の出力よりも小さくなるように設定されているので、該照明灯が、階段の下り口で下り方向を向いた状態において視界に入る位置に設けられていても、下り口に下り方向を向いて立ったときに感じる照明灯の眩しさは抑えられ、そのため、下り口から安全に下りていくことができる。
【００１１】
しかも、上り口側のスイッチ手段でオンになったときの該照明灯の出力は大きいので、上り方向を向いたときの段板と蹴こみの陰影の差をはっきりさせて階段を安全に上っていくことができる。
【００１２】
第１発明において、前記照明灯が、階段の上り下り方向の中間位置において、壁面に設けられている場合（第２発明）は特に、下り口に下り方向を向いて立ったとき、照明灯が視点の中心側に寄って光が目に入りやすくなるけれども、照明灯の出力は小さいので、眩しさを感じにくく、そのため、下り口から安全に下りていくことができる。
【００１３】
第１発明において、前記階段が、隣り合う上下のフロアーをつなぐ上り下り方向の中間位置において屈曲して向きを変える階段からなり、前記照明灯が階段の下り口と前記屈曲部とをつなぐ上り下り方向の中間位置において、壁面に設けられている場合（第３発明）はとりわけ、下り口に下り方向を向いて立ったときの照明灯との距離が短くなるけれども、照明灯の出力は小さいので、眩しさを感じにくく、そのため、下り口から安全に下りていくことができる。
【００１４】
第１〜第３発明のいずれかにおいて、下り口から階段を下りていくヒトが前記照明灯を通過したのを検知するセンサーと、該センサーからの通過信号に基づき、該照明灯の出力を、上り口側のスイッチでオンになったときの該照明灯の出力に復帰させる制御手段とが備えられているとよい（第４発明）。
【００１５】
この場合は、下り口側のスイッチ手段でオンになったときの照明灯の出力が、上り口側のスイッチ手段でオンになったときの該照明灯の出力よりも小さくなるように設定されていることにより、下り口に下り方向を向いて立っても照明灯の眩しさを感じにくく、下り口から安全に下りていくことができ、しかも、下り口から階段を下りていくヒトが照明灯を通過すると、センサーと制御手段との働きで該照明灯の出力が上り口側のスイッチでオンになったときの照明灯の出力に復帰するので、階段室が明るくなって段板が見やすくなり、安全に下りていくことができ、また、照明灯は進行方向の後方に位置しているから出力が大きくなっても眩しさを感じることもない。
【発明の効果】
【００１６】
本発明は、以上のとおりのものであるから、階段室を明るくする照明灯が、階段の下り口で下り方向を向いた状態において視界に入る位置に設けられていても、該照明灯による眩しさを感じることなく下り口から安全に下りていくことができ、しかも、上り方向を向いたときの段板と蹴こみの陰影の差をはっきりさせて階段を安全に上っていくことができる。
【発明を実施するための最良の形態】
【００１７】
次に、本発明の実施最良形態を図面に基づいて説明する。
【００１８】
図１及び図２に示す第１実施形態の階段室照明システムは、隣り合う上下のフロアー、例えば一階のフロアーと二階のフロアーをつなぐ住宅用などのＩ字階段に適用した場合のもので、階段室１を明るくする照明灯２が、階段４の下り口６で下り方向を向いた状態において視界に入る位置、具体的には、階段の上り下り方向の中間位置において、壁面７の手の届く高さ位置に設けられている。また、該階段４の上り口５の脇の壁面には、上記の照明灯２のオンオフを操作するスイッチ手段としてのスイッチ８が設けられると共に、該階段４の下り口６の脇の壁面には、上記の照明灯２のオンオフを操作する、スイッチ手段としてのスイッチ９が設けられている。
【００１９】
そして、照明灯２の出力は、下り口６側のスイッチ９でオンにしたときの出力が、上り口５側のスイッチ８でオンにしたときの出力よりも小さくなるように設定されている。具体的には、上り口５側のスイッチ８でオンにしたときの照明灯２の出力を１００とすると、下り口６側のスイッチ９でオンにしたときの照明灯２の出力が例えば７０となるような設定がなされているとよい。
【００２０】
上記の階段室照明システムでは、図２（イ）に示すように、上り口５側のスイッチ８で照明灯２をオンにしたときは、該照明灯２の出力は大きいので、階段室１は明るく、上り方向を向いたときの段板と蹴こみの陰影の差がはっきりして階段を安全に上っていくことができる。
【００２１】
そして、図２（ロ）に示すように、下り口６側のスイッチ９で照明灯２をオンにし、下り口６に下り方向を向いて立ったときは、照明灯２が視点の中心側に寄って位置しているため光が目に入りやすいけれども、照明灯２の出力は小さく抑えられているので、眩しさを感じにくく、そのため、下り口６から安全に下りていくことができる。
【００２２】
図３〜図５に示す第２実施形態の階段室照明システムは、隣り合う上下のフロアー、例えば一階のフロアーと二階のフロアーをつなぐ上り下り方向の中間位置で屈曲して向きを変えるＵ字階段に適用した場合のもので、照明灯は二つ備えられ、第１の照明灯２は、階段４の下り口６と前記屈曲部４ａをつなぐ上り下り方向の中間位置において、壁面７の手の届く高さ位置に設けられると共に、第２の照明灯３は、階段４の上り口５と前記屈曲部４ａをつなぐ上り下り方向の中間位置において壁面７の手の届く高さ位置に設けられている。
【００２３】
そして、第１照明灯２の出力は、下り口６側のスイッチ９でオンにしたときの出力が、上り口５側のスイッチ８でオンにしたときの出力よりも小さくなるように設定されている。
【００２４】
更に、本実施形態では、下り口６から階段４を下りていくヒトが第１照明灯２を通過したのを検知するセンサー１１が設けられ、該センサー１１によって、下り口６から階段４を下りていくヒトが第１照明灯２を通過したのを検知したとき、第１照明灯２の出力を、上り口５側のスイッチ８でオンにしたときの第１照明灯２の出力に復帰させる制御が図示しない制御手段により行われるようになされている。
【００２５】
なお、第２照明灯３の出力については、上り口５側のスイッチ８でオンにしたときの出力と、下り口６側のスイッチ９でオンにしたときの出力とが同じになるように設定されている。
【００２６】
このシステムでは、図４（イ）（ロ）に示すように、上り口５側のスイッチ８で第１，第２の照明灯２，３をオンにしたときは、該照明灯２，３の出力は大きいので、階段室１は明るく、上り方向を向いたときの段板と蹴こみの陰影の差がはっきりして階段４を安全に上っていくことができる。
【００２７】
そして、図５（イ）に示すように、下り口６側のスイッチ９で第１，第２の照明灯３をオンにし、下り口６に下り方向を向いて立ったときは、第１照明灯２が視点の中心側に寄って位置し光が目に入りやすく、しかも、第１照明灯２との距離も短いけれども、第１照明灯２の出力は小さく抑えられているので、眩しさを感じにくく、そのため、下り口６から安全に下り始めていくことができる。そして、図５（ロ）に示すように、第１照明灯２を通過すると、それをセンサー１１が検知し、第１照明灯２の出力が大きくなり、階段室１が明るくなって、段板が見やすくなり、階段屈曲部４ａまでを安全に下りていくことができ、第１照明灯２は進行方向の後方に位置しているから出力が大きくなっても眩しさを感じることもない。Ｌ字階段において同様の階段室照明システムを採用した場合も、同様の作用効果が奏される。
【００２８】
なお、上記の第２実施形態において、第２照明灯３についても、下り口６側のスイッチ９でオンにしたときの出力が、上り口５側のスイッチ８でオンにしたときの出力よりも小さくなるように設定し、階段屈曲部４ａから階段４を下りていくヒトが第２照明灯３を通過したのを図示しないセンサーで検知したとき、第２照明灯３の出力を、上り口５側のスイッチ８でオンにしたときの第２照明灯３の出力に復帰させる制御が行われるようにしてもよい。
【００２９】
以上に、本発明の実施形態を示したが、本発明はこれに限られるものではなく、発明思想を逸脱しない範囲で各種の変更が可能である。例えば、上記の実施形態では、スイッチ手段として、オンオフ操作型のスイッチ８，９を用いた場合を示したが、階段の下り口や上り口のヒトの存在を検知して照明灯をオンオフさせるセンサー型のスイッチが用いられてもよい。
【００３０】
また、第２実施形態における、照明灯通過センサーによる出力制御の構成は、第１実施形態の階段室照明システムに用いることも可能である。
【００３１】
更に、上記の各実施形態では、照明灯が、階段の上り下り方向の中間位置において壁面に設けられている場合を示したが、第１発明等では、要は、階段の下り口で下り方向を向いた状態において視界に入る位置に備えられていればよい。
【図面の簡単な説明】
【００３２】
【図１】第１実施形態の階段室照明システムを示すもので、図（イ）は正面図、図（ロ）は平面図である。
【図２】図（イ）及び図（ロ）はそれぞれ、同システムの作動状態を示す正面図である。
【図３】第２実施形態の階段室照明システムを示すもので、図（イ）は正面図、図（ロ）は平面図である。
【図４】図（イ）及び図（ロ）は、階段を上り口から上っていく過程での同システムの作動状態を示す正面図である。
【図５】図（イ）及び図（ロ）は、階段を下り口から下りていく過程での同システムの作動状態を示す正面図である。
【符号の説明】
【００３３】
１…階段室
２…照明灯
４…階段
４ａ…階段屈曲部
５…上り口
６…下り口
７…壁面
８，９…スイッチ
１１…センサー
【図１】
2008186797.tif 000003
【図２】
2008186797.tif 000004
【図３】
2008186797.tif 000005
【図４】
2008186797.tif 000006
【図５】
2008186797.tif 000007